【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
データベースから検索された情報を利用者に提供する端末装置において、
撮像処理により得られた画像データから抽出された三次元形状の特徴量を少なくとも含む画像特徴情報を生成する特徴情報生成手段と、
上記画像データが撮像された撮像位置および撮像方向、ならびに、上記特徴情報生成手段により生成された上記画像特徴情報を、上記データベースを検索するためのクエリとして生成するクエリ生成手段と、
上記検索された情報および上記画像データを表示するとともに、上記利用者からの操作を受け付けるタッチパネルとを備えていることを特徴とする端末装置。
【請求項２】
利用者によって上記タッチパネルを介して操作された上記画像データ上の箇所に基づいて、該利用者により指定された該画像データ上の領域を特定する領域検出部とを備え、
上記特徴情報生成手段は、
上記領域検出部によって特定された領域から特徴量を抽出して、上記画像特徴情報を生成することを特徴とする請求項１に記載の端末装置。
【請求項３】
上記データベースには、検索対象レコードごとに上記画像特徴情報が関連付けて記憶されており、
上記データベースは、当該端末装置と通信可能に接続されている配信装置に設けられており、
上記クエリ生成手段によって生成されたクエリを上記配信装置に送信して、情報の検索をリクエストするとともに、該リクエストの応答として上記配信装置から返信された検索結果を受信する通信制御部を備えていることを特徴とする請求項１または２に記載の端末装置。
【請求項４】
上記データベースには、検索対象レコードごとに上記画像特徴情報が関連付けて記憶されており、
上記画像特徴情報を含むクエリに基づいて、自装置に設けられた上記データベースを検索する情報検索手段を備えていることを特徴とする請求項１から３までのいずれか１項に記載の端末装置。
【請求項５】
上記データベースは、
上記画像データに写る対象物ごとに、対象物に関する付加情報を記憶する付加情報記憶部、および、エリアごとに三次元の地図データを記憶する地図データ記憶部の少なくともいずれか一方を含むことを特徴とする請求項１から４までのいずれか１項に記載の端末装置。
【請求項６】
自装置に設けられた上記データベースは、
上記画像データに写る対象物ごとに、対象物に関する付加情報を記憶する付加情報記憶部と、エリアごとに三次元の地図データを記憶する地図データ記憶部とを含み、
上記情報検索手段は、
上記撮像位置および撮像方向、ならびに、上記特徴情報生成手段により生成された上記画像特徴情報とに基づいて、上記画像データに写されたエリアの三次元の地図データ、および、該エリアの対象物の付加情報を検索することを特徴とする請求項４に記載の端末装置。
【請求項７】
上記画像特徴情報は、撮像部が実施した撮像処理時の撮像環境を示すメタ情報をさらに含むことを特徴とする請求項１から６までのいずれか１項に記載の端末装置。
【請求項８】
上記特徴情報生成手段は、撮像部が実行した撮像処理時の撮像環境に応じて、上記画像特徴情報を補正することを特徴とする請求項１から７までのいずれか１項に記載の端末装置。
【請求項９】
データベースから検索された情報を利用者に提供する端末装置において、
上記データベースには、検索対象レコードごとに画像特徴情報が関連付けて記憶されており、
撮像処理により得られた画像データから抽出された特徴量に基づいて、画像特徴情報を生成する特徴情報生成手段と、
上記特徴情報生成手段により生成された第一画像特徴情報と、上記画像データの撮像位置および撮像方向をクエリとして上記データベースから抽出されたレコードに関連付けられている第二画像特徴情報との一致度を評価する特徴情報評価手段と、
上記特徴情報評価手段による評価結果に応じて、上記画像データと、上記データベースから抽出されたレコードの情報との表示位置を補正して重畳する画像重畳手段と、
上記画像重畳手段によって重畳された上記レコードの情報および上記画像データを表示するとともに、上記利用者からの操作を受け付けるタッチパネルとを備えていることを特徴とする端末装置。
【請求項１０】
データベースから検索された情報を、請求項９に記載の端末装置に配信する配信装置において、
上記データベースには、検索対象レコードごとに画像特徴情報が関連付けて記憶されており、
上記端末装置から受信した、上記端末装置が画像データを撮像したときの撮像位置および撮像方向を含むクエリに基づいて、上記データベースを検索する情報検索手段と、
上記情報検索手段により抽出されたレコードに関連付けられている画像特徴情報を取得する特徴情報取得手段と、
上記データベースから抽出されたレコードの情報および該レコードの画像特徴情報を検索結果として上記端末装置に配信する検索結果配信手段とを備えていることを特徴とする配信装置。
【請求項１１】
請求項３に記載の端末装置と、
上記端末装置と通信可能に接続されており、上記端末装置から送信されたクエリに基づいて、上記データベースの検索を実施する配信装置とを含むことを特徴とする情報検索システム。
【請求項１２】
請求項９に記載の端末装置と、
請求項１０に記載の配信装置とを含むことを特徴とする情報検索システム。
【請求項１３】
データベースから検索された情報を利用者に提供する端末装置の制御方法であって、上記端末装置はタッチパネルを備えており、
撮像処理により得られた画像データから抽出された三次元形状の特徴量を少なくとも含む画像特徴情報を生成する特徴情報生成ステップと、
上記画像データが撮像された撮像位置および撮像方向、ならびに、上記特徴情報生成ステップにて生成された上記画像特徴情報を、上記データベースを検索するためのクエリとして生成するクエリ生成ステップと、
上記検索された情報および上記画像データを上記タッチパネルに表示するとともに、上記利用者からの操作を上記タッチパネルを介して受け付けるステップとを含むことを特徴とする端末装置の制御方法。
【請求項１４】
データベースから検索された情報を利用者に提供する端末装置の制御方法であって、上記端末装置はタッチパネルを備えており、
上記データベースには、検索対象レコードごとに画像特徴情報が関連付けて記憶されており、
撮像処理により得られた画像データから抽出された特徴量に基づいて、画像特徴情報を生成する特徴情報生成ステップと、
上記特徴情報生成ステップにて生成された第一画像特徴情報と、上記画像データの撮像位置および撮像方向をクエリとして上記データベースから抽出されたレコードに関連付けられている第二画像特徴情報との一致度を評価する特徴情報評価ステップと、
上記特徴情報評価ステップでの評価結果に応じて、上記画像データと、上記データベースから抽出されたレコードの情報との表示位置を補正して重畳する画像重畳ステップと、
上記画像重畳ステップにて重畳された上記レコードの情報および上記画像データを上記タッチパネルに表示するとともに、上記利用者からの操作を上記タッチパネルを介して受け付けるステップとを含むことを特徴とする端末装置の制御方法。
【請求項１５】
データベースから検索された情報を、請求項９に記載の端末装置に配信する配信装置の制御方法であって、
上記データベースには、検索対象レコードごとに画像特徴情報が関連付けて記憶されており、
上記端末装置から受信した、上記端末装置が画像データを撮像したときの撮像位置および撮像方向を含むクエリに基づいて、上記データベースを検索する情報検索ステップと、
上記情報検索ステップにて抽出されたレコードに関連付けられている画像特徴情報を取得する特徴情報取得ステップと、
上記データベースから抽出されたレコードの情報および該レコードの画像特徴情報を検索結果として上記端末装置に配信する検索結果配信ステップとを含むことを特徴とする配信装置の制御方法。
【請求項１６】
データベースから検索された情報を利用者に提供する端末装置であって、上記端末装置はタッチパネルを備えており、該端末装置が、
撮像処理により得られた画像データから抽出された三次元形状の特徴量を少なくとも含む画像特徴情報を生成する特徴情報生成ステップと、
上記画像データが撮像された撮像位置および撮像方向、ならびに、上記特徴情報生成ステップにて生成された上記画像特徴情報を、上記データベースを検索するためのクエリとして、上記データベースが設けられた配信装置に送信する送信ステップと、
上記配信装置が、
上記撮像位置、上記撮像方向、および、上記画像特徴情報に基づいて、上記データベースを検索する検索ステップと、
上記検索ステップにて実行された検索結果を上記端末装置に配信する配信ステップと、
上記端末装置が、
上記検索結果および上記画像データを上記タッチパネルに表示するとともに、上記利用者からの操作を上記タッチパネルを介して受け付けるステップとを含むことを特徴とする情報検索システムの制御方法。
【請求項１７】
データベースから検索された情報を利用者に提供する端末装置であって、上記端末装置はタッチパネルを備えており、該端末装置が、
撮像処理により得られた画像データから抽出された特徴量に基づいて、画像特徴情報を生成する特徴情報生成ステップと、
上記特徴情報生成ステップにて生成された第一画像特徴情報と、上記画像データの撮像位置および撮像方向をクエリとして、上記データベースが設けられた配信装置に送信する送信ステップと、
上記配信装置が、
上記端末装置から受信した、上記端末装置が画像データを撮像したときの撮像位置および撮像方向を含むクエリに基づいて、上記データベースを検索する情報検索ステップと、
上記情報検索ステップにて抽出されたレコードに関連付けられている第二画像特徴情報を取得する特徴情報取得ステップと、
上記データベースから抽出されたレコードの情報および該レコードの第二画像特徴情報を検索結果として上記端末装置に配信する検索結果配信ステップと、
上記端末装置が、
上記特徴情報生成ステップにて生成された第一画像特徴情報と、上記配信装置から受信したレコードに関連付けられている第二画像特徴情報との一致度を評価する特徴情報評価ステップと、
上記特徴情報評価ステップでの評価結果に応じて、上記画像データと、上記データベースから抽出されたレコードの情報との表示位置を補正して重畳する画像重畳ステップと、
上記画像重畳ステップにて重畳された上記レコードの情報および上記画像データを上記タッチパネルに表示するとともに、上記利用者からの操作を上記タッチパネルを介して受け付けるステップとを含むことを特徴とする情報検索システムの制御方法。
【請求項１８】
コンピュータを、請求項１から９までのいずれか１項に記載の端末装置、または、請求項１０に記載の配信装置の各手段として機能させるための制御プログラム。